(57)【要約】【課題】滑りにくさやフィット感を従来よりもさらに向上させることが可能なスポーツ用手袋を提供する。【解決手段】スポーツ用手袋１は、天然皮革からなり表裏面が銀面となっている革部材が手掌側（手掌部２、および中指１３、薬指１４、小指１５の手掌側）に配置されていることを特徴とする。この結果、スポーツ用手袋１の手掌側において手に触れる面を銀面とすることができるとともに、スポーツ用手袋１がバットなどの部材と接触する面も銀面にすることができる。この結果、手とスポーツ用手袋１、およびスポーツ用手袋１とバットなどの部材との間における滑りを抑制するとともに、手と触れる面が銀面となることから良好なフィット感を得ることができる。【選択図】図１
2009261922.tif 000002
【特許請求の範囲】
【請求項１】
スポーツ用手袋であって、
天然皮革からなり表裏面が銀面となっている革部材が手掌側に配置されていることを特徴とする、スポーツ用手袋。
【請求項２】
手の平を覆う手掌部と、
指を覆う指部とを備え、
前記革部材は、前記指部の手掌側および前記手掌部の少なくとも一部に配置されている、請求項１に記載のスポーツ用手袋。
【請求項３】
手の平を覆う手掌部を備え、
前記革部材は、前記手掌部の少なくとも一部に配置されている、請求項１または２に記載のスポーツ用手袋。
【請求項４】
前記革部材にはステッチが形成されている、請求項１〜３のいずれか１項に記載のスポーツ用手袋。
【請求項５】
前記ステッチは、前記革部材において、親指側から小指側にむけて徐々に手首側へ近づくように形成されている、請求項４に記載のスポーツ用手袋。
【請求項６】
指を覆う指部を備え、
前記革部材は、前記指部の手掌側の少なくとも一部に配置されている、請求項１または２に記載のスポーツ用手袋。
【請求項７】
前記革部材にはステッチが形成されている、請求項６に記載のスポーツ用手袋。
【請求項８】
前記ステッチは、前記革部材において、前記指部の延在方向と交差する方向に延びるように形成されている、請求項７に記載のスポーツ用手袋。
【発明の詳細な説明】
【技術分野】
【０００１】
この発明はスポーツ用手袋に関し、より特定的には、滑りにくく良好なフィット感を得られる天然皮革を用いたスポーツ用手袋に関する。
【背景技術】
【０００２】
従来、天然皮革を用いたスポーツ用手袋としては、皮革の銀面を残して銀面側が手袋の表面側に位置するように縫製されたものなどがあったが、より滑りにくくまたフィット感を向上させるため、様々な提案が成されている。たとえば、特開２００１−２９９９８２号公報（以下、特許文献１と呼ぶ）では、銀面側を手袋の裏面側に配置することにより、ぬれても滑りにくく、手に良好なフィット感を与えるとしている。
【先行技術文献】
【特許文献】
【０００３】
【特許文献１】特開２００１−２９９９８２号公報
【発明の概要】
【発明が解決しようとする課題】
【０００４】
上述した特許文献１のスポーツ用手袋では、手に触れる面を銀面とすることで手と手袋の手掌部とは滑りにくくできるものの、滑りにくさやフィット感については更なる向上が求められている。
【０００５】
この発明は、上記のような課題を解決するために成されたものであり、この発明の目的は、滑りにくさやフィット感を従来よりもさらに向上させることが可能なスポーツ用手袋を提供することである。
【課題を解決するための手段】
【０００６】
この発明に従ったスポーツ用手袋は、天然皮革からなり表裏面が銀面となっている革部材が手掌側に配置されていることを特徴とする。
【０００７】
このようにすれば、手袋の手掌側において手に触れる面を銀面とすることができるとともに、手袋がバットなどの部材と接触する面も銀面にすることができる。この結果、手と手袋、および手袋とバットなどの部材との間における滑りを抑制するとともに、手と触れる面が銀面となることから良好なフィット感を得ることができる。
【０００８】
上記スポーツ用手袋は、手の平を覆う手掌部と、指を覆う指部とを備えていてもよい。革部材は、指部の手掌側および手掌部の少なくとも一部に配置されていてもよい。この場合、特にバットなどを握ったときに力が入り、滑りにくさに影響する手掌部や指部の部位に、上記革部材を配置することができる。
【０００９】
上記スポーツ用手袋は、手の平を覆う手掌部を備えていてもよい。革部材は、手掌部の少なくとも一部に配置されていてもよい。この場合、特にバットなどを握ったときに力が入り、滑りにくさに影響する手掌部の部位に、上記革部材を配置することができる。
【００１０】
上記スポーツ用手袋において、革部材にはステッチが形成されていてもよい。この場合、ステッチが施された部分で、両銀面となった革部材（すなわち、２枚の天然皮革が銀面を外周に向けて重ねあわされた部材）が固定される。そのため、当該革部材の２枚の天然皮革がずれることに起因して、手袋と手との間、あるいは手袋とバットなどの部材との間での滑りが発生する可能性を低減できる。
【００１１】
上記スポーツ用手袋において、ステッチは、革部材において親指側から小指側にむけて徐々に手首側へ近づくように形成されていてもよい。この場合、バットなどを握ってスイングするときに、最も遠心力がかかる方向（バットの延在方向）に沿ってステッチを形成することになるため、当該遠心力により両銀面の革部材を構成する天然皮革どうしがずれるといった問題の発生を抑制できる。
【００１２】
上記スポーツ用手袋は、指を覆う指部を備えていてもよい。革部材は、指部の手掌側の少なくとも一部に配置されていてもよい。この場合、バットなどを持つ場合に特に繊細な感覚を得ることが必要な指部において、滑りを抑制することができる。
【００１３】
上記スポーツ用手袋において、革部材にはステッチが形成されていてもよい。この場合、革部材を構成する２枚の天然皮革がスポーツ用手袋を使用している途中でずれることを防止することができる。
【００１４】
また、当該ステッチが形成された部分が存在することにより、バットなどを握ったときに革部材と手、および／または皮部材とバットなどとの間の滑りをより効果的に抑制することができる。
【００１５】
上記スポーツ用手袋において、ステッチは、革部材において、指部の延在方向と交差する方向に延びるように形成されていてもよい。この場合、バットなどを握ってスイングするときに、最も遠心力がかかる方向（バットの延在方向）に沿ってステッチを形成することになるため、当該遠心力により両銀面の革部材を構成する天然皮革同士がずれるといった問題の発生を抑制できる。
【発明の効果】
【００１６】
このように、本発明によれば滑りにくくかつフィット感に優れたスポーツ用手袋を実現できる。
【図面の簡単な説明】
【００１７】
【図１】本発明に従ったスポーツ用手袋の実施の形態１の手掌部側を示す模式図である。
【図２】図１に示したスポーツ用手袋の手甲部側を示す模式図である。
【図３】図１および図２に示したスポーツ用手袋の第１の変形例を示す模式図である。
【図４】図１および図２に示したスポーツ用手袋の第２の変形例を示す模式図である。
【図５】図１および図２に示したスポーツ用手袋の第３の変形例を示す模式図である。
【図６】図１および図２に示したスポーツ用手袋の第４の変形例を示す模式図である。
【図７】図１および図２に示したスポーツ用手袋の第５の変形例を示す模式図である。
【図８】図１および図２に示したスポーツ用手袋の第６の変形例を示す模式図である。
【図９】図１および図２に示したスポーツ用手袋の第７の変形例を示す模式図である。
【図１０】図１および図２に示したスポーツ用手袋の第８の変形例を示す模式図である。
【図１１】図１および図２に示したスポーツ用手袋の第９の変形例を示す模式図である。
【図１２】図１および図２に示したスポーツ用手袋の第１０の変形例を示す模式図である。
【図１３】図１および図２に示したスポーツ用手袋の第１１の変形例を示す模式図である。
【図１４】図１および図２に示したスポーツ用手袋の第１２の変形例を示す模式図である。
【図１５】図１および図２に示したスポーツ用手袋の第１３の変形例を示す模式図である。
【図１６】図１および図２に示したスポーツ用手袋の第１４の変形例を示す模式図である。
【図１７】図１および図２に示したスポーツ用手袋の第１５の変形例を示す模式図である。
【図１８】図１および図２に示したスポーツ用手袋の第１６の変形例を示す模式図である。
【図１９】図１および図２に示したスポーツ用手袋の第１７の変形例を示す模式図である。
【図２０】図１および図２に示したスポーツ用手袋の第１８の変形例を示す模式図である。
【図２１】図１および図２に示したスポーツ用手袋の第１９の変形例を示す模式図である。
【図２２】本発明によるスポーツ用手袋の実施の形態２を示す模式図である。
【図２３】本発明によるスポーツ用手袋の実施の形態３を示す模式図である。
【図２４】本発明によるスポーツ用手袋の実施の形態４を示す模式図である。
【図２５】本発明によるスポーツ用手袋の実施の形態５を示す模式図である。
【図２６】本発明によるスポーツ用手袋の実施の形態６を示す模式図である。
【図２７】本発明によるスポーツ用手袋の実施の形態７を示す模式図である。
【図２８】本発明によるスポーツ用手袋の実施の形態８を示す模式図である。
【図２９】図２８に示したスポーツ用手袋の第１の変形例を示す模式図である。
【図３０】図２８に示したスポーツ用手袋の第２の変形例を示す模式図である。
【図３１】本発明によるスポーツ用手袋の実施の形態９を示す模式図である。
【図３２】本発明によるスポーツ用手袋の実施の形態１０を示す模式図である。
【図３３】本発明によるスポーツ用手袋の実施の形態１１を示す模式図である。
【図３４】本発明によるスポーツ用手袋の実施の形態１２を示す模式図である。
【図３５】本発明によるスポーツ用手袋の実施の形態１３を示す模式図である。
【図３６】本発明によるスポーツ用手袋の実施の形態１４を示す模式図である。
【図３７】本発明によるスポーツ用手袋の実施の形態１５を示す模式図である。
【図３８】本発明によるスポーツ用手袋の実施の形態１６を示す模式図である。
【図３９】図３８に示したスポーツ用手袋の第１の変形例を示す模式図である。
【図４０】図３８に示したスポーツ用手袋の第２の変形例を示す模式図である。
【図４１】実験に用いた測定装置を示す模式図である。
【図４２】実験結果を示すグラフである。
【図４３】実験結果を示すグラフである。
【発明を実施するための形態】
【００１８】
以下、図面に基づいて本発明の実施の形態を説明する。なお、以下の図面において同一または相当する部分には同一の参照番号を付しその説明は繰返さない。
【００１９】
（実施の形態１）
図１は、本発明に従ったスポーツ用手袋の実施の形態１の手掌部側を示す模式図である。図２は、図１に示したスポーツ用手袋の手甲部側を示す模式図である。図１および図２を参照して、本発明によるスポーツ用手袋の実施の形態１を説明する。
【００２０】
図１および図２に示すように、スポーツ用手袋１は、その手掌部側においては、手掌部２と中指１３、薬指１４、小指１５の手掌側とが、本発明のポイントである両銀面の天然皮革（表裏面が銀面となるように、２枚の天然皮革を重ね合わせた革部材）により構成されている。また、人差し指１２の手掌部側、親指１１と、および親指１１に連なる親指付け根部１６とがそれぞれ別の部材（たとえば天然皮革、合成皮革など）により構成されている。スポーツ用手袋１の手首挿入部５側の端部には裾ゴム７が配置されている。人差し指１２、中指１３、薬指１４、小指１５の側部は指マチ部３として別部材の天然皮革または合成皮革、あるいは布などが配置されている。手掌部２においては、縫い目であるステッチ２１ａ〜２１ｃが形成されている。これらのステッチ２１ａ〜２１ｃは、親指側から小指側にかけて、徐々に手首挿入部５側へと近づくように、手掌部２を斜めに横切るように形成されている。
【００２１】
スポーツ用手袋１の手甲部４は、天然皮革や他の合成繊維などによって構成される。また手甲部４側においては、裾ゴム７上に手首ベルト６が配置され、当該手首ベルト６の一方端は着脱可能になっている。
【００２２】
図１および図２に示したスポーツ用手袋１においては、手掌側の手掌部２および中指１３、薬指１４、小指１５に両銀面の天然皮革が用いられている。このため、手袋内部での手袋と手との間の滑りを軽減するとともに、当該手袋を嵌めて選手が握る部材（たとえばバット）と手袋との間の滑りを抑制することができる。
【００２３】
また、ステッチ２１ａ〜２１ｃを形成することにより、両銀面の天然皮革を構成する２枚の皮革が使用時にずれるといった問題の発生を抑制できる。また、たとえば野球のバットを握るときに図１および図２に示したスポーツ用手袋１を用いる場合には、バットスイング時に最も遠心力の働く方向（当該スポーツ用手袋１を手にはめてバットを持ち、スイングした時のバットの延在方向）に沿ってステッチ２１ａ〜２１ｃが形成されているため、必要最小限のステッチ２１ａ〜２１ｃにより、両銀面の天然皮革を構成する２枚の皮革の間の遠心力方向でのずれを抑制することができる。
【００２４】
このように、図１および図２に示したスポーツ用手袋１では、手とスポーツ用手袋１、およびスポーツ用手袋１とバットなどの部材との間における滑りを抑制するとともに、手と触れる面が銀面となることから良好なフィット感を得ることができる。
【００２５】
図３は、図１および図２に示したスポーツ用手袋の第１の変形例を示す模式図である。図３を参照して、本発明によるスポーツ用手袋の実施の形態１の第１の変形例を説明する。なお、以下説明する図３〜図３０は、いずれも図１に対応し、スポーツ用手袋の手掌側を示している。
【００２６】
図３に示したスポーツ用手袋１は、基本的には図１および図２に示したスポーツ用手袋と同様の構成を備えるが、手掌側のステッチ２１ａ〜２１ｃの配置が異なる。すなわち、図３に示したスポーツ用手袋１においては、ステッチ２１ａ〜２１ｃがそれぞれ中指１３、薬指１４、小指１５の先端部から裾ゴム７に向かう方向、すなわち中指１３、薬指１４、小指１５の幅方向中央部において延在方向（幅方向と直交する方向）に沿って手首挿入部５側へと向かって延びるように形成されている。このように、ステッチ２１ａ〜２１ｃを、図２に示した手甲部側のステッチとほぼ同じ方向に形成することで、当該スポーツ用手袋１を嵌めた手によりバットなどを握り込むことがより容易になる。さらに、バットとボールとが接触したとき（ボールの打撃時）にグリップ部を握る手が受ける衝撃の方向にステッチ２１ａ〜２１ｃを入れることで、スポーツ用手袋１とバットとの間のずれや、両銀面の天然皮革を構成する２枚の皮革の間のずれを軽減することができる。また、スポーツ用手袋１の使用による、手掌部２を構成する両銀面の天然皮革の伸びを軽減することができる。
【００２７】
図４は、図１および図２に示したスポーツ用手袋の第２の変形例を示す模式図である。図４を参照して、本発明によるスポーツ用手袋の実施の形態１の第２の変形例を説明する。
【００２８】
図４に示したスポーツ用手袋１は、基本的には図１および図２に示したスポーツ用手袋１と同様の構成を備えるが、手掌側の両銀面の天然皮革からなる革部材に形成されたステッチ２１ａ〜２１ｃの形状が異なっている。すなわち、図４に示したスポーツ用手袋１においては、ステッチ２１ａ〜２１ｃが、中指１３、薬指１４、小指１５の先端部からそれぞれの指に沿って形成されるとともに、手掌部２においては親指１１側へと湾曲するように形成されている。このように、ステッチ２１ａ〜２１ｃを、図２に示した手甲部側のステッチとほぼ同じ方向に形成することで、図３に示したスポーツ用手袋１と同様に、当該スポーツ用手袋１を嵌めた手によりバットなどを握り込むことがより容易になる。
【００２９】
図５は、図１および図２に示したスポーツ用手袋の第３の変形例を示す模式図である。図５を参照して、本発明によるスポーツ用手袋の実施の形態１の第３の変形例を説明する。
【００３０】
図５に示したスポーツ用手袋１は、基本的には図４に示したスポーツ用手袋と同様の構成を備えるが、ステッチ２１ａ〜２１ｃの形状が異なっている。すなわち、図５に示したスポーツ用手袋１においては、ステッチ２１ａ〜２１ｃがそれぞれ中指１３、薬指１４および小指１５に沿ってそれぞれの先端部から付け根部まで延びた後、手掌部２において互いの距離を徐々に縮めながら親指１１側へと湾曲している。このようにして、図４に示したスポーツ用手袋１と同様の効果を得ることができる。
【００３１】
図６は、図１および図２に示したスポーツ用手袋の第４の変形例を示す模式図である。図６を参照して、本発明によるスポーツ用手袋の実施の形態１の第４の変形例を説明する。
【００３２】
図６に示したスポーツ用手袋１は、基本的には図１および図２に示したスポーツ用手袋と同様の構成を備えるが、手掌部側の両銀面の天然皮革からなる革部材に形成されたステッチの形状が異なっている。すなわち、図６に示したスポーツ用手袋１においては、中指１３、薬指１４、小指１５の先端部からそれぞれの付け根にまで延びるように、ステッチ２１ａ〜２１ｃが（図４に示したスポーツ用手袋１と同様に）形成されるとともに、手掌部２においてはさらにスポーツ用手袋１の小指１５側の側部中央から裾ゴム７に向けて、ステッチ２１ａ〜２１ｃに沿って延びるように配置された４本目のステッチ２１ｄが形成されている。このようにしても、図４に示したスポーツ用手袋１と同様の効果を得ることができる。また、４本目のステッチ２１ｄが形成されることにより、革部材を構成する２枚の天然皮革のずれをより効果的に抑制できる。
【００３３】
図７は、図１および図２に示したスポーツ用手袋の第５の変形例を示す模式図である。図７を参照して、本発明によるスポーツ用手袋の実施の形態１の第５の変形例を説明する。
【００３４】
図７に示したスポーツ用手袋１は、基本的には図３に示したスポーツ用手袋１と同様の構成を備えるが、人差し指１２の手掌部側の面にも両銀面の天然皮革が用いられている点、および人差し指１２においてその先端部から付け根に向けてステッチ２１ｅが形成されている点が異なる。このようにすれば、人差し指１２から小指１５までの４本の指についてステッチ２１ａ〜２１ｅが形成されるため、バットなどをより強く握り込むことが可能になる。さらに、バットとボールとが接触したとき（ボールの打撃時）にグリップ部を握る手が受ける衝撃の方向にステッチ２１ａ〜２１ｃ、２１ｅを入れることで、スポーツ用手袋１とバットとの間のずれや、両銀面の天然皮革を構成する２枚の皮革の間のずれを軽減することができる。また、スポーツ用手袋１の使用による、手掌部２を構成する両銀面の天然皮革の伸びを軽減することができる。
【００３５】
なお、この場合、図３に示したスポーツ用手袋１のように、人差し指１２の手掌側については両銀面の革部材とは異なる部材（たとえば通常の天然皮革であって手掌部側が銀面、あるいは手掌部側が床面になっている革部材など）により構成してもよい。
【００３６】
図８は、図１および図２に示したスポーツ用手袋の第６の変形例を示す模式図である。図８を参照して、本発明によるスポーツ用手袋の実施の形態１の第６の変形例を説明する。
【００３７】
図８に示したスポーツ用手袋１は、基本的には図４に示したスポーツ用手袋１と同様の構成を備えるが、ステッチ２１ａ〜２１ｃの形状が異なっている。すなわち、図８に示したスポーツ用手袋１においては、ステッチ２１ａ〜２１ｃが、それぞれ中指１３、薬指１４、小指１５の側部（親指１１側と反対側の側部）から親指１１側に向けて斜めに形成されている。このようにすれば、バットのスイング時に、バットにトルク（捻れ方向の力）がかかった場合において、当該トルク方向での手掌部２を構成する革部材（両銀面の革部材）のずれを軽減することができる。
【００３８】
図９は、図１および図２に示したスポーツ用手袋の第７の変形例を示す模式図である。図９を参照して、本発明によるスポーツ用手袋の実施の形態１の第７の変形例を説明する。
【００３９】
図９に示したスポーツ用手袋１は、基本的には図３に示したスポーツ用手袋と同様の構成を備えるが、ステッチ２１ａ〜２１ｃの形状が異なっている。すなわち、図９に示したスポーツ用手袋１においては、ステッチ２１ａ〜２１ｃが、それぞれ中指１３、薬指１４、小指１５のみに形成されている。また、それぞれの指の付け根に当たる部分にはステッチ２１ｉが形成されている。このように、特に指の手掌側にステッチ２１ａ〜２１ｃを形成することで、指の手掌側に配置された両銀面の革部材において、当該革部材を構成する２枚の天然皮革のずれを効果的に抑制できる。さらに、バットとボールとが接触したとき（ボールの打撃時）にグリップ部を握る手が受ける衝撃の方向にステッチ２１ａ〜２１ｃを入れることで、中指１３、薬指１４、小指１５の手掌部側におけるスポーツ用手袋１とバットとの間のずれを軽減することができる。
【００４０】
図１０は、図１および図２に示したスポーツ用手袋の第８の変形例を示す模式図である。図１０を参照して、本発明によるスポーツ用手袋の実施の形態１の第８の変形例を説明する。
【００４１】
図１０に示したスポーツ用手袋１は、基本的には図９に示したスポーツ用手袋１と同様の構成を備えるが、ステッチ２１ａ〜２１ｃの形状が異なっている。すなわち、図１０に示したスポーツ用手袋１では、ステッチ２１ａ〜２１ｃがそれぞれの指の側部（親指１１側と反対側の側部）から親指１１側に位置する他方の側部へと、親指１１に向かうように斜めに形成されている。また、それぞれ中指１３、薬指１４および小指１５の付け根部には、それぞれの指の延在方向に対してほぼ垂直に交差するステッチ２１ｉが形成されている。このようにすれば、バットのスイング時に、バットにトルク（捻れ方向の力）がかかった場合において、当該トルク方向での中指１３、薬指１４および小指１５における手掌側を構成する革部材（両銀面の革部材）のずれを軽減することができる。
【００４２】
図１１は、図１および図２に示したスポーツ用手袋の第９の変形例を示す模式図である。図１１を参照して、本発明によるスポーツ用手袋の実施の形態１の第９の変形例を説明する。
【００４３】
図１１に示したスポーツ用手袋１は、基本的には図１０に示したスポーツ用手袋１と同様の構成を備えるが、中指１３、薬指１４、小指１５にそれぞれ複数のステッチ２１ａ〜２１ｃ、２１ｇ〜２１ｈが形成されている点が異なる。すなわち、図１１に示したスポーツ用手袋１では、それぞれの指に２本のステッチ２１ａ〜２１ｃ、２１ｆ〜２１ｈが小指１５側から親指１１側へと斜めに（それぞれの指の延在方向と交差するように）形成されている。このようにすれば、図１０に示したスポーツ用手袋１と同様の効果が得られる。すなわち、バットのスイング時に、バットにトルク（捻れ方向の力）がかかった場合において、当該トルク方向での中指１３、薬指１４および小指１５における手掌側を構成する革部材（両銀面の革部材）のずれを軽減することができる。なお、各指でのステッチの数は、３本以上であってもよいし、各指ごとに異なっていてもよい。
【００４４】
図１２は、図１および図２に示したスポーツ用手袋の第１０の変形例を示す模式図である。図１２を参照して、本発明によるスポーツ用手袋の実施の形態１の第１０の変形例を説明する。
【００４５】
図１２に示したスポーツ用手袋１は、基本的には図９に示したスポーツ用手袋と同様の構成を備えるが、中指１３、薬指１４、小指１５においてそれぞれの指の延在方向に沿って形成されたステッチ２１ａ〜２１ｃに加えて、それぞれの指の途中の側部から親指１１側へと斜めに（各指の延在方向に対して交差する方向に）形成された他のステッチ２１ｆ〜２１ｈが形成されている。このようにすれば、図７および図８に示したスポーツ用手袋１により得られる効果を同時に得ることができる。
【００４６】
図１３は、図１および図２に示したスポーツ用手袋の第１１の変形例を示す模式図である。図１３を参照して、本発明によるスポーツ用手袋の実施の形態１の第１１の変形例を説明する。
【００４７】
図１３に示したスポーツ用手袋１は、基本的には図３に示したスポーツ用手袋１と同様の構成を備えるが、手掌部２に形成されたステッチ２１ａ〜２１ｃの形状が異なっている。すなわち、図１７に示したスポーツ用手袋１では、手掌部２においてステッチ２１ａ〜２１ｃがそれぞれ中指１３、薬指１４、小指１５の延在方向にほぼ沿った方向に形成されるとともに、中指１３、薬指１４、小指１５の付け根の部分に形成されたステッチ２１ｉより指先側にはステッチ２１ａ〜２１ｃが延在していない。異なる観点から言えば、図１３に示したスポーツ用手袋１では、ステッチ２１ａ〜２１ｃが、手掌部２において中指１３、薬指１４、小指１５の付け根部のほぼ中央から裾ゴム７に向かってほぼ直線状に形成されている。このようにすれば、バットとボールとが接触したとき（ボールの打撃時）にグリップ部を握る手が受ける衝撃の方向にステッチ２１ａ〜２１ｃを入れることで、スポーツ用手袋１とバットとの間のずれや、両銀面の天然皮革を構成する２枚の皮革の間のずれを軽減することができる。
【００４８】
図１４は、図１および図２に示したスポーツ用手袋の第１２の変形例を示す模式図である。図１４を参照して、本発明によるスポーツ用手袋の実施の形態１の第１２の変形例を説明する。
【００４９】
図１４に示したスポーツ用手袋１は、基本的には図１３に示したスポーツ用手袋１と同様の構成を備えるが、手掌部２に形成されたステッチ２１ａ〜２１ｃの形状が異なる。すなわち、図１４に示したスポーツ用手袋１では、中指１３、薬指１４、小指１５のそれぞれの付け根部から徐々に親指１１から離れる方向にステッチ２１ａ〜２１ｃが形成されている。ステッチ２１ａ〜２１ｃはそれぞれ湾曲するように形成されている。このようにすれば、バットのスイング時に、バットにトルク（捻れ方向の力）がかかった場合において、当該トルク方向での手掌部２を構成する革部材（両銀面の革部材）のずれを軽減することができる。
【００５０】
図１５は、図１および図２に示したスポーツ用手袋の第１３の変形例を示す模式図である。図１５を参照して、本発明によるスポーツ用手袋の実施の形態１の第１３の変形例を説明する。
【００５１】
図１５に示すように、スポーツ用手袋１は、基本的には図１および図２に示したスポーツ用手袋１と同様の構成を備えるが、手掌部２側において形成されるステッチの形状が異なる。すなわち、図１５に示したスポーツ用手袋１では、手掌部２、中指１３、薬指１４、小指１５という両銀面の天然皮革を用いた部位について、人差し指１２側から小指側に向けて徐々に裾ゴム７側へと近づくように斜めにステッチ２１ａ〜２１ｆが形成されている。また、これらのステッチ２１ａ〜２１ｆはその終端（最も裾ゴム７寄りの端部）が手袋の小指１５側の側部に連なるように形成されている。このようにすれば、バットのスイング時に、バットにトルク（捻れ方向の力）がかかった場合において、当該トルク方向での手掌部２を構成する革部材（両銀面の革部材）のずれを軽減することができる。
【００５２】
図１６は、図１および図２に示したスポーツ用手袋の第１４の変形例を示す模式図である。図１６を参照して、本発明によるスポーツ用手袋の実施の形態１の第１４の変形例を説明する。
【００５３】
図１６を参照して、スポーツ用手袋１は基本的には図１０に示したスポーツ用手袋１と同様の構成を備えるが、中指１３、薬指１４、小指１５において形成されるステッチ２１ａ〜２１ｃの形状が異なっている。すなわち、図１６に示したスポーツ用手袋１では、ステッチ２１ａ〜２１ｃが、中指１３、薬指１４、小指１５の親指１１寄りの側面から斜めに裾ゴム７側へと近づく方向へと形成されている。異なる観点から言えば、ステッチ２１ａ〜２１ｃは、それぞれの指の延在方向と交差するとともに、人差し指１２側から小指１５側へと向かうにつれて徐々にそれぞれの指の付け根に近づくように斜めに形成されている。このようにすれば、バットのスイング時に、バットにトルク（捻れ方向の力）がかかった場合において、当該トルク方向での手掌部２を構成する革部材（両銀面の革部材）のずれを軽減することができる。
【００５４】
図１７は、図１および図２に示したスポーツ用手袋の第１５の変形例を示す模式図である。図１７を参照して、本発明によるスポーツ用手袋の実施の形態１の第１５の変形例を説明する。
【００５５】
図１７を参照して、スポーツ用手袋１は基本的には図１４に示したスポーツ用手袋１と同様の構成を備えるが、手掌部２に形成されたステッチ２１ａ〜２１ｃの形状が異なっている。すなわち、図１７に示したスポーツ用手袋１では、ステッチ２１ａ〜２１ｃがそれぞれ中指１３、薬指１４、小指１５の付け根部の中央部から斜めに（親指１１から徐々に離れるように）、かつ直線状に延びるように形成されている。このようにすれば、バットのスイング時に、バットにトルク（捻れ方向の力）がかかった場合において、当該トルク方向での手掌部２を構成する革部材（両銀面の革部材）のずれを軽減することができる。
【００５６】
図１８は、図１および図２に示したスポーツ用手袋の第１６の変形例を示す模式図である。図１８を参照して、本発明によるスポーツ用手袋の実施の形態１の第１６の変形例を説明する。
【００５７】
図１８を参照して、スポーツ用手袋１は基本的には図１７に示したスポーツ用手袋１と同様の構成を備えるが、手掌部２に形成されるステッチの本数が異なっている。すなわち、図１８に示したスポーツ用手袋１では、中指１３および薬指１４の付け根部中央から２本のステッチ２１ａ、２１ｂが斜めに（裾ゴム７に近づくにつれて親指１１から徐々に離れるように）形成されている。このようにすれば、バットのスイング時に、バットにトルク（捻れ方向の力）がかかった場合において、当該トルク方向での手掌部２を構成する革部材（両銀面の革部材）のずれを軽減することができる。
【００５８】
図１９は、図１および図２に示したスポーツ用手袋の第１７の変形例を示す模式図である。図１９を参照して、本発明によるスポーツ用手袋の実施の形態１の第１７の変形例を説明する。
【００５９】
図１９を参照して、スポーツ用手袋１は基本的には図１および図２に示したスポーツ用手袋１と同様の構成を備えるが、中指１３、薬指１４および小指１５にもステッチ２１ｄ〜２１ｇが形成されている点が異なる。すなわち、図２４に示したスポーツ用手袋１では、中指１３、薬指１４および小指１５において、指の延在方向と交差する方向にそれぞれ複数のステッチ２１ｄ〜２１ｇが形成されている。このようにすれば、バットのスイング時における遠心力方向に沿ってステッチを形成することで、当該遠心力方向における両銀面の革部材のずれを軽減することができる。
【００６０】
図２０は、図１および図２に示したスポーツ用手袋の第１８の変形例を示す模式図である。図２０を参照して、本発明によるスポーツ用手袋の実施の形態１の第１８の変形例を説明する。
【００６１】
図２０を参照して、スポーツ用手袋１は基本的には図１および図２に示したスポーツ用手袋と同様の構成を備えるが、手掌側に形成されているステッチ２１ａ〜２１ｃの形状が異なっている。すなわち、図２０に示したスポーツ用手袋１では、ステッチ２１ａが中指１３の親指１１側の側部から裾ゴム７に向かって親指１１から徐々に離れるように斜めに形成されている。一方でステッチ２１ｂ、２１ｃは、それぞれ薬指１４、小指１５の親指１１が位置する側とは反対側の側部から親指付け根部１６に向けて斜めに形成されている。すなわち、ステッチ２１ａとステッチ２１ｂ、２１ｃとは互いに交差するように形成されている。このようにすれば、図８および図１５に示したスポーツ用手袋１により得られる効果を両方とも得ることができる。
【００６２】
図２１は、図１および図２に示したスポーツ用手袋の第１９の変形例を示す模式図である。図２１を参照して、本発明によるスポーツ用手袋の実施の形態１の第１９の変形例を説明する。
【００６３】
図２１を参照して、スポーツ用手袋１は基本的には図１８に示したスポーツ用手袋１と同様の構成を備えるが、小指１５の付け根部中央から裾ゴム７に向かって小指１５の延在方向に沿ってステッチ２１ｃが形成されている。このようにすれば、図８および図１５に示したスポーツ用手袋１により得られる効果を両方とも得ることができる。さらに、バットのスイングにより破れやすい箇所（手掌部２の小指側（外側）領域）でステッチ２１ａ〜２１ｃを交差させることで、当該箇所を補強することができる。
【００６４】
（実施の形態２）
図２２は、本発明によるスポーツ用手袋の実施の形態２を示す模式図である。図２２を参照して、本発明によるスポーツ用手袋の実施の形態２を説明する。なお、図２２は図１に対応し、スポーツ用手袋１の手掌部側を示している。
【００６５】
図２２に示すように、スポーツ用手袋１は基本的には図１および図２に示したスポーツ用手袋１と同様の構成を備えるが、両銀面の天然皮革からなる部材が手掌部２のみに形成されている。すなわち、親指１１、人差し指１２、中指１３、薬指１４および小指１５はそれぞれ銀面が表側に配置され、手袋の内側には床面が配置された天然皮革が用いられている。このため、中指１３、薬指１４、小指１５の付け根部に縫合部３０が形成される。
【００６６】
このような構成としても、図１および図２に示したスポーツ用手袋１と同様の効果を得ることができる。また、指先などの微細な感覚を必要とする場合にそれぞれの指については両銀面の天然皮革ではなく１枚の天然皮革を用いることで、指先の感覚が妨げられることを抑制できる。
【００６７】
なお、図２２に示したスポーツ用手袋１においては、図３〜図２１に示したいずれのステッチの構成を適用してもよい。
【００６８】
（実施の形態３）
図２３は、本発明によるスポーツ用手袋の実施の形態３を示す模式図である。図２３を参照して、本発明によるスポーツ用手袋の実施の形態３を説明する。
【００６９】
図２３を参照して、スポーツ用手袋１は、基本的には図１および図２に示したスポーツ用手袋１と同様の構成を備えるが、両銀面の革部材が中指１３、薬指１４、小指１５の手掌側のみに用いられている点が異なる。すなわち、図２３に示したスポーツ用手袋１では、手掌部２は表面が銀面となっている１枚の天然皮革によって構成されている。また、中指１３、薬指１４、小指１５には、それぞれの指の延在方向に対して交差するように（親指１１側から小指１５側に向けて、徐々に指の付け根方向へと近づくように）ステッチ２１ｄ〜２１ｊが形成されている。このようにしても、図１および図２に示したスポーツ用手袋と同様の効果を得ることができる。
【００７０】
なお、人差し指１２の手掌側も両銀面の革部材により構成してもよい。また、図２３に示したスポーツ用手袋１においては、図３〜図２１に示したいずれのステッチの構成を適用してもよい。
【００７１】
（実施の形態４）
図２４は、本発明によるスポーツ用手袋の実施の形態４を示す模式図である。図２４を参照して、本発明によるスポーツ用手袋の実施の形態４を説明する。
【００７２】
図２４を参照して、スポーツ用手袋１は、基本的には図１および図２に示したスポーツ用手袋と同様の構成を備えるが、両銀面の革部材が親指１１、人差し指１２、中指１３、薬指１４、小指１５の先端部である親指先端部５１、人差し指先端部５２、中指先端部５３、薬指先端部５４、小指先端部５５のみに用いられている点が異なっている。このようにしても、図１および図２に示したスポーツ用手袋と同様の効果を得ることができる。また、たとえば図２４に示したスポーツ用手袋１をバッティング時に使用する場合には、バットのスイング時に圧力のかかる指先部に両銀面の皮部材を用いることで、手の力（手圧）を効率よくバットに伝達できる。また、図２４に示したスポーツ用手袋１を守備の時に使用する場合には、守備時に圧力のかかる指先部に両銀面の皮部材を用いることで、捕球動作時のスポーツ用手袋１とグラブとの間のずれを軽減することができる。
【００７３】
（実施の形態５）
図２５を参照して、本発明によるスポーツ用手袋の実施の形態５を説明する。
【００７４】
図２５を参照して、スポーツ用手袋１は、基本的には図１および図２に示したスポーツ用手袋１と同様の構成を備えるが、両銀面の皮部材の配置が異なっている。すなわち、図２５に示したスポーツ用手袋１では、中指先端部５３、薬指先端部５４、小指先端部５５と、手掌部部分５６とのみに両銀面の革部材が用いられている。手掌部部分５６は、中指１３、薬指１４、小指１５の付け根部を延在する横方向延在部と、当該横方向延在部の小指１５の付け根部付近より裾ゴム７側へと延びる縦方向延在部とが接続された、屈曲した形状となっている。このような構成としても、図１および図２に示したスポーツ用手袋と同様の効果を得ることができる。また、スポーツ用手袋１において使用により磨耗しやすい手掌側の指先、および手掌部部分５６を両銀面の革部材により構成することで、手と手袋との間のずれ、および手袋とバットなどの部材との間のずれを軽減するとともに、スポーツ用手袋１の磨耗を抑制することができる。
【００７５】
（実施の形態６）
図２６を参照して、本発明によるスポーツ用手袋の実施の形態６を説明する。
【００７６】
図２６を参照して、スポーツ用手袋１は、基本的には図１および図２に示したスポーツ用手袋１と同様の構成を備えるが、両銀面の皮部材の配置が異なっている。すなわち、図２６に示したスポーツ用手袋１では、手掌部２のうち小指１５の下方に位置する手掌部部分５６のみに両銀面の革部材が用いられている。手掌部部分５６は、手掌部２のうち小指１５の下方であって、手掌部２の幅方向において親指付け根部１６とほぼ対向する位置に配置されている。手掌部部分５６の平面形状は概略四角形状となっている。手掌部部分５６の外形の４つの辺のうち、相対的に長い長辺は小指１５の延びる方向とほぼ同じ方向に延在している。手掌部部分５６では、その外周部内側において手掌部部分５６を固定するための縫い目（ステッチ）が形成されている。このように、本発明にしたがったスポーツ用手袋１では、両銀面の革部材により構成される部材の外周部内側に固定のためのステッチを配置することが好ましい。このような手掌部部分５６を両銀面の革部材によって構成することで、時にバットを構えたときの下側（バットのグリップエンド側）に位置する手におけるバットのグリップをより確実に行なうことができる。すなわち、バットを構えたときの下側に位置する手に装着するスポーツ用手袋として、図２６に示すような構成を採用すれば、バットのスイング時の遠心力や打撃の衝撃によりバットが押し戻される力に対して、スポーツ用手袋のうち特に力が集中して加わる部分（図２６の手掌部部分５６）に両銀面の革部材を配置することになる。このため、上記のようなバットのスイング時や打撃時において、バットを確実にグリップすることができる。
【００７７】
なお、上記のようにスポーツ用手袋のうち力が集中する部分の判別は、以下のような方法により行なうことができる。すなわち、バットのグリップテープに、圧力に反応して変色する検出シート（たとえば富士フィルムビジネスサプライ株式会社製のプレスケール：（超低圧用：ツーシートタイプ））を貼り付け、当該バットのグリップを素手で握りスイングを行なう。この結果、グリップのうちスイングで素手から圧力が加わった部分では、検出シートが変色する。当該変色部の位置と、グリップを握っていた手の手掌部などとの位置関係から、バッターの手（すなわちスポーツ用手袋）においてバットスイング時に力が集中的に加わる部分を判別できる。
【００７８】
（実施の形態７）
図２７を参照して、本発明によるスポーツ用手袋の実施の形態７を説明する。
【００７９】
図２７を参照して、スポーツ用手袋１は、基本的には図１および図２に示したスポーツ用手袋１と同様の構成を備えるが、両銀面の皮部材の配置が異なっている。すなわち、図２７に示したスポーツ用手袋１では、手掌部２のうち人差し指１２と親指付け根部１６（もしくは親指１１）との間の領域に位置する手掌部親指側部分６１のみに両銀面の革部材が用いられている。手掌部親指側部分６１は、人差し指１２の根元側から親指付け根部１６にかけて配置されている。手掌部親指側部分６１の小指側側部は、人差し指１２と中指１３との間から親指付け根部１６に向けてほぼ直線状にのびる外周形状を有している。このような手掌部親指側部分６１を両銀面の革部材によって構成することで、時にバットを構えたときの上側（バットの打球部側）に位置する手におけるバットのグリップをより確実に行なうことができる。すなわち、バットを構えたときの上側に位置する手に装着するスポーツ用手袋として、図２７に示すような構成を採用すれば、バットのスイング時の遠心力や打撃の衝撃によりバットが押し戻される力に対して、スポーツ用手袋のうち特に力が集中して加わる部分（図２７の手掌部親指側部分６１）に両銀面の革部材を配置することになる。このため、上記のようなバットのスイング時や打撃時において、バットを確実にグリップすることができる。
【００８０】
なお、上述した手掌部親指側部分６１についても、実施の形態６において説明したように検出シートを用いて実験することにより、バットのスイング時に力が集中することを確認することができた。
【００８１】
また、手掌部親指側部分６１の平面形状は任意の形状とすることができ、たとえば小指側から親指側に向かうほど幅（指側から手首側に向かう方向における幅）が広くなるような形状であってもよい。
【００８２】
（実施の形態８）
図２８を参照して、本発明によるスポーツ用手袋の実施の形態８を説明する。
【００８３】
図２８を参照して、スポーツ用手袋１は、基本的には図２６に示したスポーツ用手袋１と同様の構成を備えるが、両銀面の皮部材の配置が異なっている。すなわち、図２８に示したスポーツ用手袋１では、手掌部２のうち小指１５の下方に位置する手掌部部分５６に加えて、中指１３、薬指１４、小指１５の手掌部側に位置する中指手掌側部分６３、薬指手掌側部分６４、小指手掌側部分６５にも両銀面の革部材が用いられている。中指手掌側部分６３、薬指手掌側部分６４、小指手掌側部分６５は、それぞれ中指１３、薬指１４、小指１５の先端部から、先端部より２つ目の関節と三つ目の関節との間の領域にまで延びている。このようにすれば、バットを構えたときに、手掌部部分５６とバットを挟んで対向する位置に配置される中指手掌側部分６３、薬指手掌側部分６４、小指手掌側部分６５も両銀面の革部材で構成されるので、バットのグリップをより安定して行なうことができる。
【００８４】
図２９を参照して、図２８に示したスポーツ用手袋の第１の変形例を説明する。図２９を参照して、スポーツ用手袋１は、基本的には図２８に示したスポーツ用手袋１と同様の構成を備えるが、２８に示した手掌部部分５６に代えて、手掌部親指側部分６１が両銀面の革部材で構成されている。なお、図２９に示したスポーツ用手袋１の手掌部親指側部分６１の構成は、基本的に図２７に示したスポーツ用手袋１における手掌部親指側部分６１の構成と同様である。このような構成によっても、バットを構えたときに、手掌部側部分６１とバットを挟んで対向する位置に配置される中指手掌側部分６３、薬指手掌側部分６４、小指手掌側部分６５も両銀面の革部材で構成されるので、バットのグリップをより安定して行なうことができる。
【００８５】
図３０を参照して、図２８に示したスポーツ用手袋の第２の変形例を説明する。図３０を参照して、スポーツ用手袋１は、基本的には図２８に示したスポーツ用手袋１と同様の構成を備えるが、２８に示した手掌部部分５６に加えて、手掌部親指側部分６１も両銀面の革部材で構成されている。なお、図３０に示したスポーツ用手袋１の手掌部親指側部分６１の構成は、基本的に図２７に示したスポーツ用手袋１における手掌部親指側部分６１の構成と同様である。このような構成によっても、バットを構えたときに、手掌部部分５６および手掌部側部分６１とバットを挟んで対向する位置に配置される中指手掌側部分６３、薬指手掌側部分６４、小指手掌側部分６５も両銀面の革部材で構成されるので、バットのグリップをより安定して行なうことができる。また、このような構成とすれば、バットを構えたときにバットのグリップエンドに対して近い側（下側）の手にスポーツ用手袋１をはめた場合、また当該グリップエンドに対して遠い側（上側）の手にスポーツ用手袋１をはめた場合、つまり両方の手のいずれにおいてもバットのグリップをより安定して行なうことができる。
【００８６】
なお、上述したスポーツ用手袋１では、両銀面の革部材からなる中指手掌側部分６３、薬指手掌側部分６４、小指手掌側部分６５を配置しているが、これらのうちの２つまたは１つだけを配置するような構成としてもよい。また、中指手掌側部分６３、薬指手掌側部分６４、小指手掌側部分６５は、それぞれ中指１３、薬指１４、小指１５の先端部のみ、あるいは先端から１つ目の関節と２つ目の関節との間にまで延びるような配置となっていてもよい。また、中指手掌側部分６３、薬指手掌側部分６４、小指手掌側部分６５は、中指１３、薬指１４、小指１５のそれぞれにおいて異なる位置やサイズとなるように形成されていてもよい。また、中指手掌側部分６３、薬指手掌側部分６４、小指手掌側部分６５は、中指１３、薬指１４、小指１５の先端部からではなく、途中から各指の根元側へ伸びるように形成されていてもよい。また、中指１３、薬指１４、小指１５のそれぞれにおいて、複数の中指手掌側部分６３、薬指手掌側部分６４、小指手掌側部分６５を配置してもよい。また、上述した手掌部部分５６および手掌部親指側部分６１は、複数の独立した部分（（両銀面の革部材からなる部分）が分散配置されている構成としてもよい。
【００８７】
（実施の形態９）
図３１を参照して、本発明によるスポーツ用手袋の実施の形態９を説明する。
【００８８】
図３１を参照して、スポーツ用手袋１は、基本的には図２６に示したスポーツ用手袋１と同様の構成を備えるが、両銀面の皮部材からなる手掌部部分６６の形状が異なっている。手掌部部分６６は、手掌部２において小指１５の下方から中指１３の下方まで上端（指側端部）が延びるとともに、親指１１側の端部の外周が人差し指１２の付け根側から、手首側に向けて傾斜する（徐々に小指１５側へ近づく）ように形成されている。異なる観点から言えば、手掌部部分６６は、親指１１側から小指１５側に向けて徐々に幅（手掌部２の縦方向（指側から手首側に向かう方向）での幅）が広くなるように形成されている。そして、手掌部部分６６の小指１５側端部は、手掌部２の小指側端部にまで延在している。このようにすれば、バットのスイング時に軸となる手に当該スポーツ用手袋１を装着した場合に、バットのスイング軸の中心となる小指１５の下側の領域（手掌部２の小指側端部）におけるバットのグリップ力をより向上させることができる。
【００８９】
（実施の形態１０）
図３２を参照して、本発明によるスポーツ用手袋の実施の形態１０を説明する。
【００９０】
図３２を参照して、スポーツ用手袋１は、基本的には図１および図２に示したスポーツ用手袋１と同様の構成を備えるが、両銀面の皮部材の配置が異なっている。すなわち、図３２に示したスポーツ用手袋１では、手掌部２のうち人差し指１２の付け根部下から小指１５の下方に位置する手掌部部分７６のみに両銀面の革部材が用いられている。手掌部部分７６は、人差し指１２の付け根部下から、小指１５の下方に向けて延びるように形成され、その平面形状はほぼ長方形状であってもよい。この手掌部部分７６は、バットのスイング時に最も手に圧力のかかる領域であり、この部分に両銀面の革部材を配置することでバットのグリップをより確実に行なうことができる。また、当該手掌部部分７６を両銀面の革部材とすることで、手掌部部分７６以外の部分と手掌部部分７６との間で部材の厚みの差ができ、この結果バットをグリップしたときに手掌部部分７６が確実に固定されることになる。なお、手掌部部分７６の幅（指側から手首側に向かう方向における幅）は、バットのグリップ部の、外周の長さ以下であればよいが、好ましくは外周の長さの５０％未満の長さにするとよい。具体的には、当該幅は好ましくは１ｍｍ以上３５ｍｍ以下、より好ましくは１０ｍｍ以上３０ｍｍ以下とすることができる。また、手掌部部分７６以外の部分と手掌部部分７６との厚みの差については、手掌部部分７６の方を少なくとも０．５ｍｍ厚くすることが好ましい。この場合、バットのグリップがしやすくなり、安定したスイングが可能となる。
【００９１】
（実施の形態１１）
図３３を参照して、本発明によるスポーツ用手袋の実施の形態１１を説明する。
【００９２】
図３３を参照して、スポーツ用手袋１は、基本的には図３２に示したスポーツ用手袋１と同様の構成を備えるが、両銀面の皮部材の配置が異なっている。すなわち、図３３に示したスポーツ用手袋１では、手掌部２のうち人差し指１２の付け根部下から小指１５の下方に位置する手掌部部分７６ではなく、当該手掌部部分７６以外の手掌側の表面である手掌部部分７７および人差し指１２〜小指１５までの手掌部側表面に両銀面の革部材が用いられている。なお、手掌部部分７６では、両銀面ではない部材が用いられる。このようにしても、手掌部部分７７と手掌部部分７６との間で部材の厚みの差ができ、この結果バットをより確実にグリップすることができる。このとき、手掌部部分７６以外の部分と手掌部部分７６との厚みの差は、手掌部部分７６の方を少なくとも０．５ｍｍ薄くすると、バットのグリップがしやすくなり、安定したスイングが可能となる。
【００９３】
（実施の形態１２）
図３４を参照して、本発明によるスポーツ用手袋の実施の形態１２を説明する。
【００９４】
図３４を参照して、スポーツ用手袋１は、基本的には図１および図２に示したスポーツ用手袋１と同様の構成を備えるが、両銀面の皮部材の配置が異なっている。すなわち、図３４に示したスポーツ用手袋１では、中指１３、薬指１４、小指１５の手掌部側に位置する中指手掌側部分６３、薬指手掌側部分６４、小指手掌側部分６５のみに両銀面の革部材が配置されている。さらに、中指手掌側部分６３、薬指手掌側部分６４、小指手掌側部分６５では、それぞれ指の関節にあたる２箇所において、それぞれの両銀面の革部材の幅が狭くなっている関節狭幅部８１が形成されている。当該関節狭幅部８１に隣接して、通常の革部材や他の繊維などからなる関節部補助部８２が形成されている。このようにすれば、両銀面の革部材を用いることでバットを確実にグリップするようにできるとともに、指を曲げたときの抵抗を低減し、スポーツ用手袋１をはめた状態での指の動きやすさを改善することができる。バットを握りやすくできる。なお、両銀面の革部材は、人差し指１２の手掌側や親指１１に配置してもよい。また、上述のような両銀面の革部材は、親指１１〜小指１５の任意の指の手掌側に配置してもよい。
【００９５】
（実施の形態１３）
図３５を参照して、本発明によるスポーツ用手袋の実施の形態１３を説明する。
【００９６】
図３５を参照して、スポーツ用手袋１は、基本的には図３４に示したスポーツ用手袋１と同様の構成を備えるが、両銀面の皮部材の配置が異なっている。すなわち、図３５に示したスポーツ用手袋１では、中指１３、薬指１４、小指１５の手掌部側に位置する中指手掌側部分６３、薬指手掌側部分６４、小指手掌側部分６５のみに両銀面の革部材が配置されている。さらに、中指手掌側部分６３は、互いに関節部補助部８２により分離されている中指先端部６３ａ、中指中間部６３ｂ、および中指根元部６３ｃにより構成されている。また、薬指手掌側部分６４は、互いに関節部補助部８２により分離されている薬指先端部６４ａ、薬指中間部６４ｂ、および薬指根元部６４ｃにより構成されている。また、小指手掌側部分６５は、互いに関節部補助部８２により分離されている小指先端部６５ａ、小指中間部６５ｂ、および小指根元部６５ｃにより構成されている。上述した関節部補助部８２は、両銀面の革部材より柔軟性がある部材（さらに、より好ましくは厚さが両銀面の革部材より薄い部材）により構成される。たとえば、関節部補助部８２の材料として、通常の化学繊維や片側銀面の革部材など、任意の材料を用いることができる。このような構成のスポーツ用手袋１によっても、図３４に示したスポーツ用手袋１と同様の効果を得ることができる。
【００９７】
（実施の形態１４）
図３６を参照して、本発明によるスポーツ用手袋の実施の形態１４を説明する。
【００９８】
図３６を参照して、スポーツ用手袋１は、基本的には図１および図２に示したスポーツ用手袋１と同様の構成を備えるが、両銀面の革部材の配置が異なっている。すなわち、図３６に示したスポーツ用手袋１では、親指付け根部１６を除く手掌部２の全体を覆うように配置された手掌部部分５６が両銀面の革部材により構成されている。また、異なる観点から言えば、手掌部部分５６は、その平面形状の指側端部が中指１３〜小指１５の根元にまで到達する。また、当該平面形状の親指側端部の外形は、人差し指１２と中指１３との間から親指に向けて延びるとともに親指付け根部１６の外周に沿って湾曲し、手首部の裾ゴム７にまで到達している。当該平面形状の手首側端部は裾ゴム７にまで到達し、当該手首側端部の外形は裾ゴム７の上端に沿ってほぼ直線状である。また、手掌部部分５６には、ステッチ２１ａ〜２１ｃが形成されている。このステッチ２１ａ〜２１ｃは、人差し指１２側から小指１５側に向けて、指側から手首側（裾ゴム７側）へ徐々に近づくように傾斜して形成されている。このような構成のスポーツ用手袋１によっても、バットのグリップなどを確実に行なうことができる。
【００９９】
（実施の形態１５）
図３７を参照して、本発明によるスポーツ用手袋の実施の形態１５を説明する。
【０１００】
図３７を参照して、スポーツ用手袋１は、基本的には図１および図２に示したスポーツ用手袋１と同様の構成を備えるが、両銀面の革部材の配置が異なっている。すなわち、図３７に示したスポーツ用手袋１では、手掌部側の全面（つまり手掌部２、親指１１〜小指１５の手掌側表面および親指付け根部１６）が両銀面の革部材により構成されている。このようにしても、バットのグリップなどを確実に行なうことができる。
【０１０１】
（実施の形態１６）
図３８を参照して、本発明によるスポーツ用手袋の実施の形態１６を説明する。
【０１０２】
図３８を参照して、スポーツ用手袋１は、基本的には図３６に示したスポーツ用手袋１と同様の構成を備えるが、両銀面の皮部材の配置が異なっている。すなわち、図３８に示したスポーツ用手袋１では、図３６に示した手掌部部分５６が両銀面の革部材により構成されているのに加えて、各指の側面を覆うマチ部も両銀面の革部材からなる両銀面指マチ部８３となっている。このようにすれば、バットをグリップしたときなど、指の間のずれを抑制することができるので、バットのスイング時にもより確実なバットのグリップ状態を維持できる。なお、指の側面を覆うマチ部の長手方向（指の延在方向）の一部のみを両銀面の革部材からなる両銀面指マチ部８３としてもよい。また、特定の指についてのみ、両銀面指マチ部８３を配置してもよい。
【０１０３】
図３９を参照して、図３８に示したスポーツ用手袋の第１の変形例を説明する。図３９を参照して、スポーツ用手袋１は、基本的には図３８に示したスポーツ用手袋１と同様の構成を備えるが、両銀面の革部材の配置が異なっている。すなわち、図３９に示したスポーツ用手袋１では、図３８に示した両銀面指マチ部８３に加えて、図３７に示したスポーツ用手袋１と同様に手掌部側の全面が両銀面の革部材により構成されている。このようにすれば、図３８に示したスポーツ用手袋１による効果に加えて、図３７に示したスポーツ用手袋１による効果も得ることができる。
【０１０４】
図４０を参照して、図３８に示したスポーツ用手袋の第２の変形例を説明する。図４０を参照して、スポーツ用手袋１は、基本的には図３８に示したスポーツ用手袋１と同様の構成を備えるが、指の一方の側面に位置するマチ部のみが両銀面指マチ部８３となっている。この場合、比較的厚い両銀面の革部材を一方の側面のみに用い、他方の側面については他の比較的柔軟な材料で構成することができる。このため、図３８に示したスポーツ用手袋１による効果をある程度維持すると共に、指の動きやすさを向上させることができる（つまりスポーツ用手袋１の装着感を改善できる）。なお、図４０に示したスポーツ用手袋１では、中指１３〜小指１５の親指側の側面について両銀面指マチ部８３を配置しているが、両銀面指マチ部８３の配置方向は逆側（小指側の側面）であってもよいし、指ごとに配置方向を変えてもよい。また、すべての指ではなく、特定の指のみに両銀面指マチ部８３を配置してもよい。
【０１０５】
（実施例）
本発明によるスポーツ用手袋の効果を確認するため、以下のような実験を行なった。
【０１０６】
（試料）
本発明のスポーツ用手袋の効果を確認するため、本発明の図１および図２に示したスポーツ用手袋に加えて、手掌側が通常の天然皮革の銀面により構成された手袋、手掌部側が通常の天然皮革の床面により構成された手袋、手掌部側が樹脂と合成皮革とにより構成された手袋を準備した。
【０１０７】
（実験装置）
図４１に示した測定装置４０は、トルク測定装置であって、ベース部材４７上に支持部材４３が対向するように配置され、この支持部材４３に軸４２が支持されている。この軸４２は回転可能に支持される。そして、この軸４２の一方端にはバットのグリップ部４４が接続固定されている。このグリップ部４４の表面にはグリップテープ４５が表面に配置されている。そして、軸４２の他方端にはトルクセンサ４１が接続されている。このトルクセンサ４１からの出力を記録するための制御部４６が接続されている。
【０１０８】
なお、グリップ部４４としては、グリップテープ４５の材質の異なる２種類を準備した。すなわち、グリップテープＡとしては、比較的滑りにくいグレードのものを用いた。また、グリップテープＢとしては、グリップテープＡより相対的に滑りやすいグレードのものを用いた。
【０１０９】
（実験方法）
８人の試験者に上述した４種類の手袋と素手とで図２６に示した測定装置のグリップ部を握り左回りで回転させたときのトルクを測定した。測定は、グリップテープの異なる２種類のグリップ部についてそれぞれ行なった。
【０１１０】
（結果）
グリップテープＡおよびグリップテープＢを用いたグリップ部毎に、各試験者のトルクの測定結果を表１、表２に示す。表１はグリップテープＡのグリップ部を用いた場合の結果であり、表２はグリップテープＢのグリップ部を用いた場合の結果である。
【０１１１】
【表１】
2009261922.tif 000003
【０１１２】
【表２】
2009261922.tif 000004
【０１１３】
また、上記結果におけるトルクの平均値を、スポーツ用手袋の種類別に図４２および図４３に示す。
【０１１４】
図４２および図４３に示したグラフでは、横軸が用いた手袋の種類を示しており、縦軸がトルクを示している。縦軸のトルクの単位はＮｍである。図４２および図４３の横軸のＡは手掌部が銀面となっている１枚の天然皮革を用いたスポーツ用手袋を用いた場合を示す。また、横軸のＢは本発明の実施例であるスポーツ用手袋を用いた場合である。横軸のＣは手掌部の表面が床面にされたスポーツ用手袋を用いた場合である。横軸のＤは手掌部に樹脂と合成皮革とを用いたスポーツ用手袋を用いた場合である。横軸のＥは、素手によりグリップ部を握った場合を示している。
【０１１５】
図４２および図４３からもわかるように、いずれのグリップテープの場合においても、本発明によるスポーツ用手袋を用いた場合が最もトルクが大きくなっていることがわかる。すなわち、最も本発明によるスポーツ用手袋を用いた場合が滑りにくい構成となっていることが示された。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１７】
本発明は、スポーツ用手袋、特に野球やソフトボールなどのバッティング時に着用するスポーツ用手袋に有利に適用される。
【符号の説明】
【０１１８】
１  スポーツ用手袋、２  手掌部、３  指マチ部、４  手甲部、５  手首挿入部、６  手首ベルト、７  裾ゴム、１１  親指、１２  人差し指、１３  中指、１４  薬指、１５  小指、１６  親指付け根部、２１ａ〜２１ｊ  ステッチ、３０  縫合部、４０  測定装置、４１  トルクセンサ、４２  軸、４３  支持部材、４４  グリップ部、４５  グリップテープ、４６  制御部、４７  ベース部材、５１  親指先端部、５２  人差し指先端部、５３  中指先端部、５４  薬指先端部、５５  小指先端部、５６，６６，７６，７７  手掌部部分、６１  手掌部親指側部分、６３  中指手掌側部分、６３ａ  中指先端部、６３ｂ  中指中間部、６３ｃ  中指根元部、６４  薬指手掌側部分、６４ａ  薬指先端部、６４ｂ  薬指中間部、６４ｃ  薬指根元部、６５  小指手掌側部分、６５ａ  小指先端部、６５ｂ  小指中間部、６５ｃ  小指根元部、８１  関節狭幅部、８２  関節部補助部、８３  両銀面指マチ部。
【図１】
2009261922.tif 000005
【図２】
2009261922.tif 000006
【図３】
2009261922.tif 000007
【図４】
2009261922.tif 000008
【図５】
2009261922.tif 000009
【図６】
2009261922.tif 000010
【図７】
2009261922.tif 000011
【図８】
2009261922.tif 000012
【図９】
2009261922.tif 000013
【図１０】
2009261922.tif 000014
【図１１】
2009261922.tif 000015
【図１２】
2009261922.tif 000016
【図１３】
2009261922.tif 000017
【図１４】
2009261922.tif 000018
【図１５】
2009261922.tif 000019
【図１６】
2009261922.tif 000020
【図１７】
2009261922.tif 000021
【図１８】
2009261922.tif 000022
【図１９】
2009261922.tif 000023
【図２０】
2009261922.tif 000024
【図２１】
2009261922.tif 000025
【図２２】
2009261922.tif 000026
【図２３】
2009261922.tif 000027
【図２４】
2009261922.tif 000028
【図２５】
2009261922.tif 000029
【図２６】
2009261922.tif 000030
【図２７】
2009261922.tif 000031
【図２８】
2009261922.tif 000032
【図２９】
2009261922.tif 000033
【図３０】
2009261922.tif 000034
【図３１】
2009261922.tif 000035
【図３２】
2009261922.tif 000036
【図３３】
2009261922.tif 000037
【図３４】
2009261922.tif 000038
【図３５】
2009261922.tif 000039
【図３６】
2009261922.tif 000040
【図３７】
2009261922.tif 000041
【図３８】
2009261922.tif 000042
【図３９】
2009261922.tif 000043
【図４０】
2009261922.tif 000044
【図４１】
2009261922.tif 000045
【図４２】
2009261922.tif 000046
【図４３】
2009261922.tif 000047